【事件の表示】
　特許第３０５３０８３号「苗植付装置」の請求項１に係る特許に対する特許異議の申立てについて、次のとおり決定する。
【結　論】
　訂正を認める。
　特許第３０５３０８３号の請求項１に係る特許を維持する。
【理　由】
１．手続きの経緯
　特許第３０５３０８３号の請求項１に係る発明は、平成４年１２月３日に出願された特願平４−３２３５３６号の一部を、平成１０年９月１６日に分割して新たな特許出願としたものであって、平成１２年４月７日に特許権の設定登録がなされ、その後、その特許について、ヤンマー農機株式会社より特許異議の申立てがなされ、取消しの理由が通知され、その指定期間内である平成１３年８月２１日に訂正請求がなされたものである。
２．訂正の適否についての判断
（１）訂正の内容
ア．訂正事項ａ
　特許明細書の【特許請求の範囲】の欄の第１２行（本件特許公報第２欄第１行）の「縦送りベルト（１６）の側部で」の後に次文を加入する。
「、その苗載せ台（６）の裏面に設けた補強フレーム（７）を介して」
イ．訂正事項ｂ
　これに伴い、特許請求の範囲の記載と発明の詳細な説明の記載との整合を図るため、同明細書の【課題を解決するための手段】の欄の第１０行（本件特許公報第４欄第１７行）の「縦送りベルトの側部で」の後に次文を加入する。
「、その苗載せ台の裏面に設けた補強フレームを介して」
ウ．訂正事項ｃ
　特許明細書の発明の詳細な説明中の【作用】の欄の第１９〜２０行（本件特許公報第５欄第１〜２行）の「縦送りベルトの側部で」の後に次文を加入する。
「、その苗載せ台の裏面に設けた補強フレームを介して」
（２）訂正の目的の適否、新規事項の有無及び拡張・変更の存否
　訂正事項ａによる訂正は、願書に添付された明細書（以下、「特許明細書」という。）の段落番号【０００８】の第８行〜１０行（本件特許公報第６欄第９〜１３行）の記載「図３に示すように、後記する縦送り装置８が囲む内部空間を貫通する状態で補強フレーム７より機体前方側に向かう第１ブラケット９を延出し、この第１ブラケット９に苗載せ台６の横送り機構Ａを連結する。」および、図面の「図１」、「図２」、及び「図３」からみて、明細書に記載された事項の範囲内の訂正であり、特許請求の範囲の減縮を目的とした明細書の訂正に該当するものであって、新規事項の追加に該当せず、実質上特許請求の範囲を拡張し又は変更するものでもない。
　訂正事項ｂ及びｃによる訂正は、訂正事項ａによる特許請求の範囲の訂正に伴い、特許請求の記載と発明の詳細な説明の記載との整合を図るものであり、明りょうでない記載の釈明を目的とした明細書の訂正に該当するものであって、新規事項の追加に該当せず、実質上特許請求の範囲を拡張し又は変更するものでもない。
（３）むすび
　以上のとおりであるから、上記訂正は特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
３．特許異議の申立ての概要
　特許異議申立人ヤンマー農機株式会社は、甲第１号証（特開平４−１７３０１０号公報）、甲第２号証（実願昭６１−１８８２６７号（実開昭６３−９２５２０号）のマイクロフィルム）および甲第３号証（特開昭６２−４０２１３号公報）を提出して、本件請求項１に係る発明の特許は、特許法第２９条第２項の規定に違反してなされたものであり、本件特許は取り消されるべきものである旨主張している。
４．本件発明
　本件特許第３０５３０８３号の請求項１に係る発明（以下、「本件発明」という。）は、訂正明細書の特許請求の範囲の請求項１に記載された事項により特定される次のとおりのものである。
「苗載せ台（６）を左右往復動自在に支持させるとともに、前記苗載せ台（６）の往復ストロークエンドにおいて載置苗を所定量づつ縦送りする縦送り装置（８）を備えてある苗植付装置であって、前記苗載せ台（６）に連結されている移動体（１１）を左右往復駆動させる横送り駆動作用部（１０Ａ）を備えた横送り軸（１０）と、縦送り装置（８）の縦送りベルト（１６）を作動させる操作アーム（１７）を所定回転角だけ回動させて縦送りする縦送り駆動作用部（１９）を備えた縦送り駆動軸（１８）とを、それぞれの駆動作用部（１０Ａ），（１９）部分が前記フィードケース（２）の横外側方に突出して位置する状態に配設し、前記横送り軸（１０）の横送り駆動作用部（１０Ａ）により左右移動される移動体（１１）を、苗載せ台（６）に設けた縦送りベルト（１６）の側部で、その苗載せ台（６）の裏面に設けた補強フレーム（７）を介して苗載せ台（６）と連結するとともに、前記縦送り駆動軸（１８）を連続回転駆動し、かつ、その縦送り駆動作用部（１９）の回動軌跡の一部に係合して所定回転角範囲だけ回動操作される操作アーム（１７）を、苗載せ台（６）に設けた縦送りベルト（１６）の苗送り方向下手側のプーリー（１４）と同軸に設け、さらに、前記横送り軸（１０）と縦送り駆動軸（１８）とを、それらの両軸の軸芯線を含む仮想平面が苗載せ台（６）と略平行に位置する状態で配設してある苗植付装置。」
５．当審の判断
（１）刊行物記載の発明
　当審が通知した取り消しの理由に引用した刊行物１（特開平４−１７３０１０号公報、甲第１号証）には、「フレーム兼用の植付伝動ケース（２）に対して左右往復動自在に後下り傾斜姿勢の苗のせ台（３）を支持させる」（第２頁左下欄第１３行目〜１５行日）と記載され、「縦送り装置（８）における駆動側プーリ（１９ａ）の操作アーム（２６）［操作部材の］を、プーリ支軸（２７）に対して、一方向クラッチ（２８）を介して苗縦り方向にのみ一体回動自在並びに逆方向に向けバネ（２９）により待機姿勢に戻り付勢した状態で取りつけ、この操作アーム（２６）が苗のせ台（３）とともに一定ストロークで横移動し、その左右ストロークエンドにおいて、前記操作アーム（２６）を接当連動する一対の駆動アーム（３０）（３０）を前記回転支軸（２４）に一体揺動すべく固定してある」（第３頁右上欄第１４行目〜同貢左下欄第４行目）と記載され、「螺軸（１３）には外周部に往復螺旋溝（１５）を形成してあり、前記コマ受け部材（１４）に形成した挿通孔（１６）に螺旋溝（１５）に係合する突起を備えたコマ部材（１７）を挿入し蓋体（１８）により接当支持する状態で覆ってある。そして、螺軸（１３）を回転駆動することでコマ部材（１７）即ちコマ受け部材（１４）を左右に往復スライド移動させるよう構成してある。又、前記コマ受け部材（１４）は苗のせ台（３）の裏面側に連結してある。」（第２頁右下欄第１６行目〜第３頁左上欄第７行日）と記載され、「前記螺軸（１３）における値付伝動ケース（２）の支持側端部をケース外方側に片持ち状に延出させ」（第３頁右上欄第３行目〜５行目）と記載され、「前記縦送り装置（８）は、上下一対のプーリ（１９ａ）（１９ａ）に亘り無端回動ベルト（７）を巻回して成り、」（第３頁左上欄第１０行目〜第１２行目）と記載され、「その近傍において前記連結パイプフレーム（１０）から固設延出したプラケット（２３）によって回動支軸（２４）を回動自在に支持する状態で配設し、」（第３頁右上欄第７行目〜９行目）と記載され、「螺軸（１３）と回動支軸（２４）とを、それらの両軸の軸芯線を含む仮想平面が苗のせ台と略平行に位置する状態で配設してある」（第１図）」と記載されている（以下、「引用発明１」という）。
　同じく引用した刊行物２（実願昭６１−１８８２６７号（実開昭６３−９２５２０号）のマイクロフィルム、甲第２号証）には、「複数の植付け爪を有する植え付体７・・・と、左右の往復動する苗載台８等からなる植付装置１０を装着してあり、・・・苗載台８はドライブケース６の上部の螺旋軸１６によりスライドブロック１６a及びスライドバー１６ｂを介して横方向に往復動し、繰出アーム１７，１７は回転軸１７ａの両端部寄りに螺着されており、・・・常時回転する上記繰出アーム１７，１７は苗載台８の横移動端部で突起付きベルト１４からなる縦送装置１８の送出量調節部材となるラチェットレバー１８ａを間欠駆動し、」（第４頁１２行〜第５頁１１行）と記載され、「前記縦送装置１８の突起付きベルト１４は苗載台８の下部寄り下面に取付けたブラケット８ａにより支承されている駆動軸１４ａのプーリーとその上方の進退可能でスプリングにより上方へ引張り付勢された従動軸１４ｂのプーリーとに張設され、」（第６頁１７行〜第７頁２行）と記載され、「常時回転している一方の繰出アーム１７はその側のローラ２９・・・に当接してラチェットレバー１８ａを一定角度回動させ、それにともなってラチェット爪１９ｂがラチェットホイル１９ａを回動させるので、突起付きベルト１４が回動してマット苗を送出し、」（第９頁１８行〜第１０頁３行）と記載され、「また、苗載台が反対側の横移動端部に達すると、常時回転している他方の繰出アーム１７が他方のローラ２８に当接してラチェットレバー１８ａを回動させるので、前述と同様な苗送出しを行なうことができる。」（第１０頁１４行〜１８行）と記載されている（以下、「引用発明２」という）。  
　同じく引用した刊行物３（特開昭６２−４０２１３号公報、甲第３号証）には、「そして、苗のせ台１２が左右移動端に至ると、揺動カム７０が常時回転している回転体４９のピン５０に当接し、」（第４頁左下端１行〜３行）と記載されている（以下、「引用発明３」という。）。
（２）対比・判断
　本件発明と引用発明１ないし３とを対比すると、引用発明１ないし３のいずれにも、本件発明の「横送り軸の横送り駆動作用部により左右移動される移動体を、苗載せ台に設けた縦送りベルトの側部で、その苗載せ台の裏面に設けた補強フレームを介して苗載せ台と連結する」の構成（以下、「特定事項」という。）が記載されておらず、該構成を示唆する記載もない。
　したがって、引用発明１ないし３の構成を寄せ集めたとしても、上記特定事項の構成を当業者が容易に想到することはできないものと認める。
  本件発明は、上記特定事項を含む構成とするすることにより、明細書記載の格別顕著な作用効果を奏するものと認められる。
　してみると、本件発明は、刊行物１ないし３に記載の発明に基づいて当業者が容易に発明をすることができたものではない。
（３）むすび
  以上のとおりであることから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認められない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１０月１５日（２００１．１０．１５）
【訂正の要旨】
訂正の要旨
訂正事項ａ
　特許請求の範囲の減縮を目的として、
　特許明細書の【特許請求の範囲】の欄の第１２行（本件特許公報第２欄第１行）の「縦送りベルト（１６）の側部で」の後に次文を加入する。
「、その苗載せ台（６）の裏面に設けた補強フレーム（７）を介して」
訂正事項ｂ
　特許明細書の明りょうでない記載の釈明を目的として、
同明細書の【課題を解決するための手段】の欄の第１０行（本件特許公報第４欄第１７行）の「縦送りベルトの側部で」の後に次文を加入する。
「、その苗載せ台の裏面に設けた補強フレームを介して」
同明細書の【作用】の欄の第１９〜２０行（本件特許公報第５欄第１〜２行）の「縦送りベルトの側部で」の後に、次文を加入する。
「、その苗載せ台の裏面に設けた補強フレームを介して」
（５４）【発明の名称】
苗植付装置
（５７）【特許請求の範囲】
　【請求項１】苗載せ台（６）を左右往復動自在に支持させるとともに、前記苗載せ台（６）の往復ストロークエンドにおいて載置苗を所定量づつ縦送りする縦送り装置（８）を備えてある苗植付装置であって、
　前記苗載せ台（６）に連結されている移動体（１１）を左右往復駆動させる横送り駆動作用部（１０Ａ）を備えた横送り軸（１０）と、縦送り装置（８）の縦送りベルト（１６）を作動させる操作アーム（１７）を所定回転角だけ回動させて縦送りする縦送り駆動作用部（１９）を備えた縦送り駆動軸（１８）とを、それぞれの駆動作用部（１０Ａ），（１９）部分が前記フィードケース（２）の横外側方に突出して位置する状態に配設し、
　前記横送り軸（１０）の横送り駆動作用部（１０Ａ）により左右移動される移動体（１１）を、苗載せ台（６）に設けた縦送りべルト（１６）の側部で
、苗載せ台（６）の裏面に設けた補強フレーム（７）を介して
　前記縦送り駆動軸（１８）を連続回転駆動し、かつ、その縦送り駆動作用部（１９）の回動軌跡の一部に係合して所定回転角範囲だけ回動操作される操作アーム（１７）を、苗載せ台（６）に設けた縦送りベルト（１６）の苗送り方向下手側のプーリー（１４）と同軸に設け、
　さらに、前記横送り軸（１０）と縦送り駆動軸（１８）とを、それらの両軸の軸芯線を含む仮想平面が苗載せ台（６）と略平行に位置する状態で配設してある苗植付装置。
【発明の詳細な説明】
　【０００１】
　【産業上の利用分野】
　本発明は、苗載せ台の横送りストロークエンドにおいて搭載苗を所定量縦送りさせる苗植付装置に係り、詳しくは、フィードケースに苗載せ台を一定ストロークで左右往復動自在に支持させるとともに、前記苗載せ台のストロークエンドにおいて載置苗を所定量づつ縦送りする縦送り装置を備えてある苗植付装置に関する。
　【０００２】
　【従来の技術】
　従来、苗植付装置の縦送り装置としては、例えば本出願人が既に提案した特開平４−１７３００８号公報に示されるベルト式の縦送り装置のように、苗載せ台の搭載苗に接触作用する縦送りベルトの下方側のプーリーに、一方向クラッチを介して連動する操作アームを備え、搭載苗を下方に移動させる下降方向にはプーリーと操作アームとが一体回動し、かつ、反下降方向にはプーリーと操作アームとの連動状態が絶たれる状態に構成するとともに、操作アームを前記反下降方向に戻し付勢する弾性部材を設け、フィードケースの外側に位置する縦送り駆動軸上で所定範囲だけ往復揺動する駆動アームの揺動軌跡と前記操作アームとが、苗載せ台の横送りストロークエンドにて干渉して、駆動アームが操作アームを接当駆動することにより、搭載苗を所定量だけ下方に向けて縦送りするように構成したものがある。
　また、この苗植付装置では、前記縦送り駆動軸の動力として、横送り軸の回転運動を偏芯輪により往復運動に変換して、前記縦送り駆動軸を正逆方向に往復回転させることにより、駆動アームを往復揺動操作し、横送り軸による苗載せ台の横送り動力は、前記縦送り装置よりも下方の苗載せ台の下端部近くに横送り軸の駆動力を伝達することによって行われている。
　【０００３】
　【発明が解決しようとする課題】
　上記従来構造のように、横送り軸や縦送り軸の駆動作用部をフィードケースの外部に位置させるように構成すると、これらの駆動作用部を内装させる構造のものに比べ、フィードケースの左右幅を格段に狭くして、コンパクトな構成とすることができ、重量の大きくなりがちなフィードケースの小型化を図る上ではきわめて有用なものである。
　しかしながら、上記従来構造のものでは、横送り軸の回転運動を縦送り装置に伝えるための駆動構造が複雑であるとともに、縦送り装置の縦送りベルトの苗送り方向下手側の駆動プーリーも、横送り軸による苗載せ台への横移動操作力の伝達箇所も、共に苗載せ台の下端部近くに集中している。このため、縦送り駆動軸も横送り軸も苗載せ台下端部近くに集約的に配置され、その組み付け加工やメンテナンスに煩雑さを要求されるものであった。
　また、縦送り駆動軸に設けた駆動アームの往復揺動作動範囲を避けて横送り軸を配設しようとすると、横送り軸を苗載せ台の下端部に近づけているとはいえ、やはり苗載せ台連結箇所との連結距離が離れてしまい、正確な横送りを行わせるために連結強度の大きな連動構造を採用する必要があった。
　本発明は、苗植付装置の軽量小型化を図るとともに、構造簡単で組み付け加工やメンテナンスの面でも便利な構造の苗植付装置を提供することにその目的がある。
　【０００４】
　【課題を解決するための手段】
　上記目的を達成するために講じた本発明の技術手段は、フィードケースに苗載せ台を左右往復動自在に支持させるとともに、前記苗載せ台の往復ストロークエンドにおいて載置苗を所定量づつ縦送りする縦送り装置を備えてある苗植付装置において、前記苗載せ台に連結されている移動体を左右往復駆動させる横送り駆動作用部を備えた横送り軸と、縦送り装置の縦送りベルトを作動させる操作アームを所定回転角だけ回動させて縦送りする縦送り駆動作用部を備えた縦送り駆動軸とを、それぞれの駆動作用部部分が前記フィードケースの横外側方に突出して位置する状態に配設し、前記横送り軸の横送り駆動作用部により左右移動される移動体を、苗載せ台に設けた縦送りベルトの側部で
、その苗載せ台の裏面に設けた補強フレームを介して
　【０００５】
　【作用】
ａ．上記特徴構成による本発明のものでは、横送り軸の横送り駆動作用部も縦送り駆動軸の縦送り駆動作用部もフィードケースの外方に配置されるのでフィードケースの横幅の縮小を行うにも無理がない。
ｂ．そして、フィードケースの外方に突出させた横送り軸の突出部分に形成された横送り駆動作用部に対して移動体が係入しており、また、縦送り駆動軸もその縦送り作用をする縦送り駆動作用部をフィードケースの外方に突出させた部分に形成しているので、例えば、横送り軸の横送り駆動部を構成する螺旋溝に対して移動体の係合部位を分解する場合や、縦送り駆動軸の縦送り駆動作用部を点検する場合でも、フィードケースを分解しなくて済む。
ｃ．縦送り装置では、縦送り駆動軸を連続回転する構造としたものであるから、前述した従来技術に示されるように、横送り軸の回転運動を偏芯輪により往復運動に変換して、縦送り駆動軸を正逆方向に往復回転させることにより駆動アームを往復揺動操作するような複雑な動力伝達構造を必要とせず、また、往復運動による振動も発生しない。
ｄ．縦送り駆動軸が連続回転し、縦送りペルトの下手側のプーリーと同軸に設けた操作アームに対して縦送り駆動作用部の回転軌跡が係合するように構成されているため、横送り軸が前記回転軌跡との干渉を避けるように、縦送り駆動軸から離れた上方へ上がらざるを得ないが、本発明では横送り軸の存在箇所に近い縦送りベルトの側部で苗載せ台に横移動のための動力を伝えることができる。
ｅ．横送り軸と縦送り駆動軸とを、それらの両軸の軸芯線を含む仮想平面が苗載せ台と略平行に位置する状態で配設して、苗載せ台駆動部および縦送り駆動部を、苗載せ台に極力近づけるようにしたので、苗載せ台の駆動および縦送り装置の駆動が、駆動伝達距離の短い状態で確実に行えるものであるとともに、苗載せ台駆動部および縦送り駆動部を、機体前後長さの短い状態でコンパクトに配設することができる。
　【０００６】
　【発明の効果】
イ．上記ａ．及びｂ．に記載の作用から、横送り軸と縦送り駆動軸との何れをも、その大部分がフィードケースの外部へ突出する状態で設けたことにより、重量物となり易いフィードケース自体は小型のもので構成することが可能となり、これによってフィードケースの小型化および軽量化を図り得るとともに、横送り軸に係合する移動体の係合部位を分解する場合や、縦送り駆動軸の駆動作用部を点検する場合でもフィードケースを分解しなくて済み、保守点検の手数を削減できる合理的な構成の田植機が得られた。
ロ．上記ｃ．に記載の作用から、縦送り駆動軸を連続回転する構成として、縦送り駆動軸に対する動力伝達構造の簡素化を図り得るとともに、往復揺動運動による伝動を行わせる場合のような振動の発生が少なく、円滑な縦送り作動を行わせ易い。
ハ．上記ｄ．に記載の作用から、横送り軸の存在箇所に近い縦送りベルトの側部で苗載せ台に横移動のための動力を伝えることができ、これにより、横送り軸と苗載せ台との横移動のための動力伝達を、苗縦送り方向での短い距離で精度の良い動力伝達を行うことが可能な構造とすることができた。
ニ．上記ｅ．に記載の作用から、苗載せ台の駆動装置および縦送り装置を、駆動伝達距離の短い状態での確実な動力伝達が行えるもので、かつ、その苗載せ台駆動部および縦送り駆動部の配設も、機体前後長さの短いコンパクトな構造とすることができる。
　【０００７】
　【実施例】
　以下に、本発明の実施例を図面に基づいて説明する。
　図１に示すように、本機（図示ぜず）の後端に設けられた四連リンク機構１に、本機より動力伝達を受けるフィードケース２を連結するとともに、フィードケース２の下端に横向きフレーム３を架設し、この横向きフレーム３より後方に向けて複数個のフィードケース４を延出し、それらの前端部を横向きフレーム３と平行に架設した伝動軸で連結して、フィードケース４への伝動構造を構成するとともに、フィードケース４の後端部に苗植付機構５、フィードケース４の上方に苗植付機構５の植付作動に連動して左右に一定ストロークで往復移動する苗載せ台６を設けて、乗用型田植機に搭載される苗植付装置を構成する。
　【０００８】
　次に、苗載せ台６の往復横送り移動構造について説明する。図２に示すように、苗載せ台６の背面側に全幅に亘って横向きの補強フレーム７を掛け渡して、苗載せ台６の組み立て状態を補強する。つまり、苗載せ台６は、各条分毎にマット状苗を区画する側壁６Ａを設けているが、この側壁６Ａで各条毎の苗載せ台部分に分割してある。従って、補強フレーム７で組み立て後の状態を強化することができる。
　図３に示すように、後記する縦送り装置８が囲む内部空間を貫通する状態で補強フレーム７より機体前方側に向かう第１ブラケット９を延出し、この第１ブラケット９に苗載せ台６の横送り機構Ａを連結する。この横送り機構Ａを構成するに、図２に示すように、フィードケース２より螺旋軸１０を横向きに延出するとともに、この螺旋軸１０に外嵌して螺旋軸軸芯方向に横移動する移動体１１を設け、移動体１１内に螺旋軸１０の螺旋溝に咬合するコマ部材１２を内装して、螺旋軸１０の軸芯回りでの回転によって、コマ部材１２と一体で移動体１１を横移動可能に構成する。この移動体１１と第１ブラケット９とを、連結部材１３を介して連結してある。
　以上のような構成によって、フィードケース２内の駆動機構によって、螺旋軸１０をその軸芯回りで回転して、移動体１１を一定ストロークで往復移動させ、苗載せ台６を横移動させる。
　【０００９】
　縦送り装置８について説明する。図３、図４に示すように、苗送り方向での下手側に相当する下方に位置する駆動プーリー１４と上方に位置する従動プーリー１５とに亘って突起付ベルト１６を巻回して苗送りベルト機構８ａを構成するとともに、この苗送りベルト機構８ａを各条毎に二つ並設してある。
　駆動プーリー１４に一方向クラッチ２０を介して連動する操作アーム１７を備え、一方向クラッチ２０を、苗送りベルト機構８ａが搭載苗を下方に移動させる下降方向には駆動プーリー１４と操作アーム１７とが一体回動し、かつ、反下降方向には駆動プーリー１４と操作アーム１７との連動状態が絶たれる状態に構成するとともに、操作アーム１７を前記反下降方向に戻し付勢するつる巻きバネ２３（弾性部材に相当）を設け、フィードケースから突出した常時回転する縦送り駆動軸１８に駆動アーム１９の回転軌跡と操作アーム１７の回動軌跡とが、苗載せ台６の横送りストロークエンドにて干渉して駆動アーム１９が操作アーム１７を接当駆動する駆動機構８ｂを構成することにより、マット状苗Ｗを苗取り出し口ａに向けて搭載苗を所定量縦送りするように構成してある。
　【００１０】
　つる巻きバネ２３部材の戻し付勢による操作アーム１７の待機位置Ｔを変更設定する調節レバー（調節操作具に相当）２５を設け、この調節レバーと操作アーム１７とをボーデンケーブル構造の連動ワイヤ２１で連動連結するとともに、この連動ワイヤ２１のアウターワイヤ２１Ｕの操作アーム１７側端と、苗載せ台６側の支持部材２２とをワイヤ軸方向に所定範囲内で相対移動自在に連結して操作アーム１７側のアウタ受け部ｂを構成してある。支持部材２２は、受け板２４が固定された補強フレーム７に取付けられている。
　アウターワイヤ２１Ｕが調節レバー２５側に向けて押圧付勢されるよう、アウターワイヤ２１Ｕ下端の筒部分を抜け止め状態で支持部材２２に貫通支承するとともに、アウターワイヤ２１Ｕのつば部２１ｔと支持部材２２間に圧縮型の巻きバネ（付勢機構に相当）２６を介装してある。そして、巻きバネ２６によってアウターワイヤ２１Ｕに作用する付勢力を、つる巻きバネ２３によって操作アーム１７に連結されたインナーワイヤ２１Ｉに作用する付勢力よりも大に設定してあり、操作アーム１７の待機位置Ｔへの戻し付勢力によって巻きバネ２６が圧縮変形されてしまうことがないようにしてある。
　【００１１】
　以上の構成による縦送り装置８では、苗植付機構５による苗の取り量を少なくするには、図４に示すように調節レバー２５を下方に揺動操作してインナーワイヤ２１Ｉを引張り上げて操作アーム１７の待機位置をＴから、例えばｔに移動させるようとする。このとき、若干の操作アーム１７の揺動移動によって苗送りベルト機構８ａが作動し、苗Ｗが下方に縦送りされて苗載せ台６下端のガイドレール２７に押し付けられるようになるが、それを圧縮バネ２６の圧縮変形によるアウターワイヤ２１Ｕの変位によって吸収でき、調節レバー２５の操作が重くなるとか、苗のガイドレール２７への押し付けによって崩れるといった不都合が生じないのである。尚、この状態では上記の理由によって待機位置が直ちにはｔに移動しないことがあるが、その後の縦送り作動によって巻きバネ２６が元の伸びた状態に戻り、すぐに操作アーム１７の待機位置は、図４の実線で描かれた操作アーム１７の上側の仮想線の位置であるｔに設定されるようになる。
　【００１２】
　図１に示すように、図示しない変更レバーと変更アーム２９とガイドレール２７にボルト止めされたブラケット３０とから、搭載苗Ｗの下端位置を変えて苗の取り量を変更する機構Ｂが構成されている。図５に示すように、ブラケット３０は、正面視横倒しＪ字形状の屈曲板３０ａと支持棒３０ｂとを２箇所で固着して成り、屈曲板３０ａで形成された空間部３０ｃに変更アーム２９の先端部を入込み配置してある。
　【００１３】
　尚、特許請求の範囲の項に図面との対照を便利にするために符号を記すが、該記入により本発明は添付図面の構成に限定されるものではない。
【図面の簡単な説明】
　【図１】
　苗植付装置の側面図
　【図２】
　苗載せ台と横送り機構との連係状態を示す断面図
　【図３】
　縦送り装置の構造を示す側面図
　【図４】
　苗載せ台下部の苗取り量調節構造を示す側面図
　【図５】
　取り量調節用ブラケットの斜視図
　【符号の説明】
　６　　　苗載せ台
　８　　　縦送り装置
　１０　　横送り軸
　１０Ａ　横送り駆動作用部
　１１　　移動体
　１４　　プーリー
　１６　　縦送りベルト
　１７　　操作アーム
　１８　　縦送り駆動軸
　１９　　縦送り駆動作用部